(57)【特許請求の範囲】
【請求項１】
横引き式のスクリーン装置におけるスクリーンの一端を保持する固定框を、建物開口部の縦枠に対して着脱自在に取付けるための取付機構であって、
前記建物開口部の縦枠に沿って固定される底壁とその両側の側壁とにより断面コ字状に形成されたところの、上記固定框を嵌入するための長尺のアタッチメント枠を備え、
上記アタッチメント枠の底壁に、上記固定框を取り付けるためのラッチ部材が回転可能に軸支され、
該ラッチ部材は、上記固定框におけるアタッチメント枠側に対向状態に突設した係止壁に係合するラッチ板部と、該ラッチ板部と一体化されて上記アタッチメント枠の底壁に軸支された回転体とを有し、
上記ラッチ部材を動作させるためのスライド部材が、上記アタッチメント枠の側壁の外側において該側壁の長手方向に移動操作可能にした操作部と、該操作部に上記側壁の摺動孔を通して結合され、上記ラッチ部材の回転体に係合して該回転体を回転駆動する伝動部材を備えた内側取付部片とにより構成され、
上記スライド部材が、上記ラッチ板部を固定框の係止壁に係止しない第１の位置と、該ラッチ板部が固定框の係止壁に係止する第２の位置とに移動可能である、
ことを特徴とする横引き式スクリーン装置における固定框の取付機構。
【請求項２】
前記ラッチ部材におけるラッチ板部が、長径部とそれに直交する短径部とを有し、
上記長径部が、上記固定框に対向状態に突設した係止壁間においてそれらの係止壁に係合する長さを有し、上記短径部が、上記固定框の係止壁間に嵌入する長さを有している、
ことを特徴とする請求項１に記載の横引き式スクリーン装置における固定框の取付機構。
【請求項３】
前記ラッチ部材における回転体が円柱状をなし、その表面に、前記スライド部材に設けた棒状の伝動部材と係合する凹部を有している、
ことを特徴とする請求項１又は請求項２に記載の横引き式スクリーン装置における固定框の取付機構。
【請求項４】
前記ラッチ部材における回転体がピニオン状をなし、前記スライド部材における伝動部材が該ピニオン状の回転体と噛合するラック状に形成されている、
ことを特徴とする請求項１又は請求項２に記載の横引き式スクリーン装置における固定框の取付機構。
【請求項５】
前記スライド部材が、それ自体を上記アタッチメント枠の側壁に対して、上記ラッチ板部を固定框の係止壁に係止しない第１の位置と、該ラッチ板部が固定框の係止壁に係止する第２の位置とに弾性的に保持する保持手段を備えている、
ことを特徴とする請求項１〜４のいずれかに記載の横引き式スクリーン装置における固定框の取付機構。
【請求項６】
上記保持手段が、上記アタッチメント枠の側壁の外側にある操作部に対して該側壁の摺動孔を通して結合される内側取付部片に、第１及び第２の板ばね部を備え、それらの板ばね部のぞれぞれにおける上記側壁との対面部分に小突子を設け、上記アタッチメント枠の側壁に、上記第１の位置と第２の位置とにおいて該小突子が弾性的に嵌入する小穴を設けている、
ことを特徴とする請求項５に記載の横引き式スクリーン装置における固定框の取付機構。
【発明の詳細な説明】
【技術分野】
【０００１】
本発明は、網戸等の横引き式のスクリーン装置を建物開口部に着脱自在に取り付けるようにした横引き式スクリーン装置における固定框の取付機構に関する。
【背景技術】
【０００２】
従来から、固定框にスクリーンをアコーディオン式に折り畳み可能にし、或いは、巻き取り方向にバネ付勢された巻取り軸にスクリーンを巻き取るようにした横引き式のスクリーン装置を、修理や各種メンテナンスのために建物開口部枠に対して着脱可能に取り付けるようにしたものは、特に例示するまでもなく極めて一般的に知られている。
しかしながら、それらのスクリーン装置の建物開口部枠への着脱自在な取付機構の設置や、それらの取付機構による建物開口部枠へのスクリーン装置の装着は、必ずしも簡単且つ容易ではなく、ユーザーが簡易に実施できるものではない。
【０００３】
横引き式スクリーン装置のスクリーンを収納する固定框を建物開口部枠に着脱自在に取り付ける該固定框の取付機構として、例えば、特許文献１に開示されているように、建物開口部の縦枠側に第１係止部材を取り付け、固定框側に該第１係止部材と係脱可能な第２係止部材を設け、該第２係止部材が固定框に対して上下にスライド可能な可動部材に設けられていて、該可動部材を、固定框の第２係止部材が建物開口部枠の第１係止部材に係止する第１位置と、該係止を解除する第２位置とに切り換え可能にしたものが既に知られている。
【０００４】
しかし、この固定框の取付機構においても、第１係止部材と第２係止部材との係脱を可能にして固定框を建物開口部枠の所要位置に正確に取り付け可能にするためには、複数の第１係止部材の建物開口部枠上への取付位置と、固定框上における複数の第２係止部材の取付位置とを、相互に正確に相対応させる必要があり、さもないと、建物開口部枠に対する固定框の取り付けが傾いたり、がたつきがあったりして、安定的に所要位置に固定できなくなる。このような複数の第１係止部材及び複数の第２係止部材を、それぞれ建物開口部枠と固定框の対応位置に正確に取り付けるためには、それなりの熟練を必要とし、或いは何らかの補助的道具を用いる必要があり、必ずしも容易ではない。
【０００５】
また、上記特許文献１の取付機構のように、建物開口部の縦枠に複数の第１係止部材を取り付けておき、それに固定する固定框に複数の第２係止部材を取り付けておくと、建物開口部の縦枠へのスクリーン装置の装着に際し、建物開口部枠の複数の第１係止部材に対して固定框における複数の第２係止部材を同時に、しかも、正確に位置決めしたうえで可動部材を操作して取り付ける必要があり、この作業も必ずしも簡単且つ容易であるとは限らない。
【先行技術文献】
【特許文献】
【０００６】
【特許文献１】特開２００７−９６７４号公報
【発明の概要】
【発明が解決しようとする課題】
【０００７】
本発明の技術的課題は、建物開口部枠に横引き式スクリーン装置の固定框の取付機構を設置するのが容易であり、しかも、該取付機構により建物開口部枠への固定框の取り付け及び取り外しをする際の操作性をも向上させた横引き式スクリーン装置における固定框の取付機構を提供することにある。
【課題を解決するための手段】
【０００８】
上記課題を解決するために、本発明によれば、横引き式のスクリーン装置におけるスクリーンの一端を保持する固定框を、建物開口部の縦枠に対して着脱自在に取付けるための取付機構であって、前記建物開口部の縦枠に沿って固定される底壁とその両側の側壁とにより断面コ字状に形成されたところの、上記固定框を嵌入するための長尺のアタッチメント枠を備え、上記アタッチメント枠の底壁に、上記固定框を取り付けるためのラッチ部材が回転可能に軸支され、該ラッチ部材は、上記固定框におけるアタッチメント枠側に対向状態に突設した係止壁に係合するラッチ板部と、該ラッチ板部と一体化されて上記アタッチメント枠の底壁に軸支された回転体とを有し、上記ラッチ部材を動作させるためのスライド部材が、上記アタッチメント枠の側壁の外側において該側壁の長手方向に移動操作可能にした操作部と、該操作部に上記側壁の摺動孔を通して結合され、上記ラッチ部材の回転体に係合して該回転体を回転駆動する伝動部材を備えた内側取付部片とにより構成され、上記スライド部材が、上記ラッチ板部を固定框の係止壁に係止しない第１の位置と、該ラッチ板部が固定框の係止壁に係止する第２の位置とに移動可能であることを特徴とする横引き式スクリーン装置における固定框の取付機構が提供される。
【０００９】
本発明の好ましい実施形態においては、前記ラッチ部材におけるラッチ板部が、長径部とそれに直交する短径部とを有し、上記長径部が、上記固定框に対向状態に突設した係止壁間においてそれらの係止壁に係合する長さを有し、上記短径部が、上記固定框の係止壁間に嵌入する長さを有しているものとして構成される。
【００１０】
本発明の他の好ましい実施形態においては、前記ラッチ部材における回転体が円柱状をなし、その表面に、前記スライド部材に設けた棒状の伝動部材と係合する凹部を有しているものとして構成され、或いは、前記ラッチ部材における回転体がピニオン状をなし、前記スライド部材における伝動部材が該ピニオン状の回転体と噛合するラック状に形成されているものとすることができる。
【００１１】
更に、本発明の他の好ましい実施形態においては、前記スライド部材が、それ自体を上記アタッチメント枠の側壁に対して、上記ラッチ板部を固定框の係止壁に係止しない第１の位置と、該ラッチ板部が固定框の係止壁に係止する第２の位置とに弾性的に保持する保持手段を備えているものとし、更に具体的には、上記保持手段が、上記アタッチメント枠の側壁の外側にある操作部に対して該側壁の摺動孔を通して結合される内側取付部片に、第１及び第２の板ばね部を備え、それらの板ばね部のぞれぞれにおける上記側壁との対面部分に小突子を設け、上記アタッチメント枠の側壁に、上記第１の位置と第２の位置とにおいて該小突子が弾性的に嵌入する小穴を設けているものとすることができる。
【００１２】
上記構成を有する固定框の取付機構を建物開口部に設置するに際しては、まず、上記固定框を着脱自在に取り付けるための断面コ字状のアタッチメント枠を建物開口部の縦枠に固定設置することになるが、このアタッチメント枠の設置は、それが建物開口部に取り付ける固定框とほぼ同長であることから、アタッチメント枠が鉛直状態に配置されていることを確認して固定すればよく、例えば、建物開口部の縦枠の上下端に固定框の取付用金具等を個別的に設置する場合に比して、所望の位置に極めて正確に設置することができる。
【００１３】
また、上記建物開口部に取り付けられている上記アタッチメント枠に対して固定框を着脱するに際しては、予めスライド部材の操作部を第１の位置に保持させたうえで、該アタッチメント枠の一対の側壁間に固定框を嵌入するが、この場合には、単に固定框をアタッチメント枠内に嵌め合わせればよく、アタッチメント枠に一対の側壁が存在することからその嵌め合わせも極めて容易に行うことができる。更に、上記固定框の固定は、上記の状態でスライド部材を操作し、該スライド部材を第２の位置まで移動させればよく、それに伴って、ラッチ板部の長径部の両端が固定框の一対の係止壁をアタッチメント枠側に押圧するので、固定框がアタッチメント枠に強固に固定される。
【００１４】
横引き式スクリーン装置における固定框は、通常、その内部にアコーディオン式に折り畳み可能にしたスクリーンを収納し、或いは、巻き取り方向にバネ付勢されたスクリーンを巻き取るための巻取り軸が収容されるため、建物開口部の縦枠に容易に着脱可能に取り付けるのが困難であるが、上述した手段による固定框の取り付けを行えば、修理や各種メンテナンスのための着脱を容易に行うことが可能になる。
【発明の効果】
【００１５】
上述した本発明によれば、建物開口部の縦枠に長尺のアタッチメント枠を固定するようにしているので、該建物開口部に横引き式スクリーン装置の固定框の取付機構を設置するのが容易であり、しかも、該取付機構により建物開口部枠への固定框の取り付け及び取り外しをする際の操作性をも向上させることができる。そのため、スクリーン装置の本体ユニットを建物開口部から取り外して、スクリーン装置を修理する際や、各種メンテナンスをする際に特に有用である。
【図面の簡単な説明】
【００１６】
【図１】本発明に係る取付機構を備えた横引き式スクリーン装置全体の正面図である。
【図２】本発明に係る横引き式スクリーン装置の本体ユニットとアタッチメント枠とを示す分解斜視図である。
【図３】上記本体ユニットをアタッチメント枠に取り付けた状態を示す要部破断斜視図である。
【図４】上記アタッチメント枠に取り付けられるスライド部材とラッチ部材の分解斜視図である。
【図５】アタッチメント枠に対して固定框が未固定で、スライド部材が第１の位置にある状態を示し、（ａ）はアタッチメント枠及び本体ユニットの横断面図、（ｂ）はラッチ部材を固定框の内側から見た要部縦断面図である。
【図６】アタッチメント枠に対して固定框が取り付けられ、スライド部材が第２の位置にあって、ラッチ部材が上記固定框の係止壁と係合した状態を示し、（ａ）はアタッチメント枠及び本体ユニットの横断面図、（ｂ）はラッチ部材を固定框の内側から見た要部縦断面図である。
【図７】スライド部材とラッチ部材の変形例において、アタッチメント枠に対して固定框が未固定で、スライド部材が第１の位置にある状態を示し、（ａ）はアタッチメント枠及び本体ユニットの横断面図、（ｂ）はラッチ部材を固定框の内側から見た要部縦断面図である。
【図８】図７の変形例において、アタッチメント枠に対して固定框が取り付けられ、スライド部材が第２の位置にあって、ラッチ部材が上記固定框の係止壁と係合した状態を示し、（ａ）はアタッチメント枠及び本体ユニットの横断面図、（ｂ）はラッチ部材を固定框の内側から見た要部縦断面図である。
【発明を実施するための形態】
【００１７】
図１〜図３に示すように、本発明にかかる横引き式スクリーン装置の本体ユニット１０は、防虫網等から成るアコーディオン式に折り畳み可能なスクリーン３０を有し、該スクリーン３０の一端は固定框２０のスクリーン収納部２４（図６の（ａ）参照）内に保持させると共に、スクリーン収納部２４に折り畳み収納可能に形成している。また、該スクリーン３０の他端は、可動框５０によって保持させ、該可動框５０は建物開口部１００の上部ガイド枠９０によって上端をガイドさせ、該可動框５０の下端は、建物開口部１００の下辺に設けたガイド部材９１ｂによるガイドで横方向に移動可能に形成している。
【００１８】
なお、上記可動框５０の上下端には、スクリーン３０の上側及び下側をガイドする屈曲可能なガイド部材４０ａ，４０ｂを取り付け、該ガイド部材４０ａ，４０ｂの先端は、それぞれ固定框２０の上下端から、該固定框２０内にその長手方向に沿って設けられているガイド部材収納部２２に出入り可能にし、可動框５０によるスクリーン３０の開閉に応じて該ガイド部材収納部２２に出没するように構成している。これらのガイド部材４０ａ，４０ｂは、その移動を上部ガイド枠９０及び建物開口部１００の下辺に設けたガイド部材９１ａ，９１ｂによりガイドされるものである。
【００１９】
建物開口部１００の一方の縦枠には、図１に示すように、上記固定框２０を着脱自在に取り付けるための該固定框２０とほぼ同長のアタッチメント枠６０が、ねじ等で固定される。該アタッチメント枠６０は、図２、図４及び図５に示すように、建物開口部の縦枠に固定される底壁６１とその両側の一対の側壁６２，６３とにより断面コ字状に形成した長尺材からなり、コ字状をなす該アタッチメント枠６０の口部内側に上記固定框２０の一部が嵌入するように形成されている。そして、該アタッチメント枠６０の底壁６１の少なくとも上下２個所に、後述するラッチ部材８０が回転可能に支持されている。
【００２０】
上記コ字状をなすアタッチメント枠６０は、図４〜図６に明瞭に示すように、一対の側壁６２，６３により形成される口部の内側の対向位置に、該側壁６２，６３から内側に突出するリブ６４を備え、一方、上記側壁６２，６３により形成される口部に嵌入させて固定する固定框２０には、その全長にわたり、上記アタッチメント枠６０のリブ６４上に位置するように形成した一対の係止壁２１が対向状態に突設されている。上記一対の係止壁２１は、後述するラッチ部材８０のラッチ板部８２を係止させ、それによって固定框２０をアタッチメント枠６０に固定するためのものである。なお、上記固定框２０には、スクリーン３０の端部に設けた係止部材３０ａを係止させて該スクリーン３０の一端を保持する保持溝２３と、折り畳んだスクリーンを収納する収納部２４とを備えている。
【００２１】
上記ラッチ部材８０は、図４〜図６に明瞭に示すように、長径部とそれに直交する短径部とを有していて、該長径部の背面中央側を膨出させた板状のラッチ板部８２と、前記アタッチメント枠６０の底壁６１に回転可能に支持させる円柱状の回転体８３とを有している。上記ラッチ板部８２の長径部は、前記固定框２０における一対の係止壁２１間の間隔よりも長く、一方、それと直交する短径部の幅は、一対の係止壁２１間の間隔よりも短く形成されている。上記回転体８３は、前記アタッチメント枠６０の一方の側壁６２に沿ってその長手方向に摺動自在に保持させたスライド部材７０により回動せしめられるものである。また、上記アタッチメント枠６０の底壁６１に対するラッチ部材８０の回転自在の保持は、該底壁６１に設けた穴６１ａに、該底壁６１の外側の溝６１ｂに鍔状部８５ｂを係止させたナット部材８５の螺挿部８５ａを通し、該螺挿部８５ａに対して、ラッチ部材８０の中心穴８４を通してねじ８６を螺合させることにより行っている。
【００２２】
上記アタッチメント枠６０におけるラッチ部材８０に近接する位置において、その側壁６２に長手方向に沿って移動可能に保持させるスライド部材７０は、該スライド部材７０の位置を外部から操作するための操作部７１と、アタッチメント枠６０の側壁６２の内側に設けられ、上記操作部７１と共に移動して回転自在なラッチ部材８０を駆動する内側取付部片７２とによって構成している。該スライド部材７０は、図４に示すように、その操作部７１に穿設された穴７１ａに対し、アタッチメント枠６０の側壁６２の内側から、該側壁６２に穿設した摺動孔６２ａを通して内側取付部片７２の接合部７３を嵌め合わせて固定することにより、上記側壁６２の摺動孔６２ａに保持させている。
【００２３】
そして、上記操作部７１と一体になって駆動される該内側取付部片７２には、回転自在なラッチ部材８０の前記回転体８３に設けた凹部８３ａに向けて突出する棒状の伝動部材７６ａを設け、上記スライド部材７０の摺動孔６２ａに沿う摺動によって、上記伝動部材７６ａを介して回転体８３を回転させるように構成している。更に、上記内側取付部片７２には、それが上記アタッチメント枠６０の摺動孔６２ａから外部に脱出するのを抑止する抜け止め凸部７７を設けている。
【００２４】
また、上記スライド部材７０の内側取付部片７２には、その接合部７３の両側に第１及び第２の板ばね部７４ａ，７４ｂを突出させ、それらの板ばね部７４ａ，７４ｂ上にそれぞれ小突子７５ａ，７５ｂを設けている。そして、前記アタッチメント枠６０の側壁６２には、前記摺動孔６２ａの上下に上記小突子７５ａ，７５ｂが弾性的に嵌入する小穴６５ａ，６５ｂを穿設している。上記小突子７５ａ，７５ｂと、それらが弾性的に嵌入するアタッチメント枠６０の小穴６５ａ，６５ｂは、後述するように、上記スライド部材７０を第１及び第２の位置において弾性的に保持して停止させるのに有効に機能する保持手段を形成するものである。
【００２５】
図４〜図６を参照して、上記ラッチ部材８０における板状のラッチ板部８２の動作を、上記小突子７５ａ，７５ｂ及び小穴６５ａ，６５ｂの機能との関連において具体的に説明すると、アタッチメント枠６０に対して固定框２０を取り付けていない状態では、当該固定框２０の取り付けに際し、まず、図５の（ａ）及び（ｂ）に示すように、スライド部材７０の操作部７１が上動した第１の位置にあることを確認し、その位置にないときには同第１の位置に移動させておく必要がある。
【００２６】
スライド部材７０がこの第１の位置にある状態においては、内側取付部片７２に設けた棒状の伝動部材７６ａが、前記ラッチ部材８０の回転体８３における凹部８３ａを押し上げて、該ラッチ部材８０のラッチ板部８２の長径部が、図５の（ｂ）に示すように固定框２０の長手方向を向くように回転させているので、一対の係止壁２１間の間隙よりも小幅に形成されている短径部は、固定框２０の一対の係止壁２１間の幅内に収まり、そのためスライド部材７０がこの第１の位置にある状態では、固定框２０をアタッチメント枠６０に対して取り付けるに当たり、上記ラッチ板部８２を一対の係止壁２１間に通すことができる。そして、スライド部材７０の操作部７１を、図５の（ｂ）に示す第１の位置に移動させたときには、前記板ばね部７４ａ上の小突子７５ａがアタッチメント枠６０の側壁６２の小穴６５ａに嵌入するので、スライド部材７０はその第１の位置に安定的に保持される。なお、図５の（ｂ）では、上記スライド部材７０がその第１の位置にあるときに、第２の板ばね部７４ｂ上の小突子７５ｂがアタッチメント枠６０の摺動孔６２ａに嵌入するようにした構成を示しているが、必ずしもその必要はない。
【００２７】
図５の（ｂ）に示すように、スライド部材７０が第１の位置に保持された状態で、同図（ａ）に示すようにアタッチメント枠６０の側壁６２，６３間に固定框２０を嵌入し、図６の（ａ）に示すように、一対の係止壁２１をアタッチメント枠６０の側壁６２，６３から内側に突出させたリブ６４上に位置させて、上記スライド部材７０の操作部７１を図６の（ｂ）に示す第２の位置まで移動させると、スライド部材７０の内側取付部片７２から前記ラッチ部材８０における回転体８３の凹部８３ａに向けて突出する棒状の伝動部材７６ａが、該ラッチ部材８０の回転体８３の凹部８３ａに嵌挿された状態で図５の（ｂ）の位置から図６の（ｂ）に示す第２の位置まで下動し、それに伴って、ラッチ板部８２は長径部が横向きになり、該長径部の両端が一対の係止壁２１をアタッチメント枠６０のリブ６４側に押圧することになるので、固定框２０がアタッチメント枠６０に強固に固定される。
【００２８】
また、上記スライド部材７０の移動により、それまで、図５の（ｂ）に示すように、アタッチメント枠６０の側壁６２の小穴６５ａに嵌入していた第１の板ばね部７４ａ上の小突子７５ａが該小穴６５ａから離脱し、それに代わって、図６の（ｂ）に示すように、前記内側取付部片７２の第２の板ばね部７４ｂ上に設けている小突子７５ｂが、アタッチメント枠６０の側壁６２の小穴６５ｂに嵌入するので、それらの係止により前記スライド部材７０は第２の位置に安定的に保持される。
【００２９】
上記構成を有する固定框２０の取付機構を建物開口部１００に設置するに際しては、基本的には、上記固定框２０を着脱自在に取り付けるための断面コ字状のアタッチメント枠６０を建物開口部１００の一方の縦枠にねじ等で固定設置すればよく、このアタッチメント枠６０の設置は、それが建物開口部１００に取り付ける固定框２０とほぼ同長であることから、アタッチメント枠６０が鉛直状態に配置されていることを確認して固定すればよく、例えば、建物開口部の縦枠の上下端に固定框２０の取付用金具等を個別的に設置する場合に比して、所望の位置に極めて正確に設置することができる。
【００３０】
また、上記建物開口部１００に取り付けられている断面コ字状のアタッチメント枠６０に対して固定框２０を着脱するに際しては、前述したように、予めスライド部材７０の操作部７１を第１の位置（図５参照）に保持させたうえで、該アタッチメント枠６０の一対の側壁６２，６３間に固定框２０を嵌入するが、この場合に、前記固定框２０に設けた一対の係止壁２１を、アタッチメント枠６０内の一対の側壁６２，６３の内側に設けたリブ６４に重ねるようにして、該固定框２０をアタッチメント枠６０内に嵌め合わせればよく、アタッチメント枠６０に一対の側壁６２，６３が存在することからその嵌め合わせも極めて容易に行うことができる。
【００３１】
上記固定框２０の固定は、上記の状態で前記スライド部材７０を操作し、該スライド部材７０を図６の（ｂ）に示す第２の位置まで移動させればよく、それに伴って、ラッチ板部８２の長径部が横向きになり、該長径部の両端が固定框２０の一対の係止壁２１をアタッチメント枠６０のリブ６４側に押圧するので、固定框２０がアタッチメント枠６０に強固に固定される。
上記固定框２０をアタッチメント枠６０から取り外す際には、前記スライド部材７０を第２の位置（図６の（ｂ）参照）から第１の位置（図５の（ｂ）参照）に移動させればよく、それにより前記ラッチ板部８２が前記固定框２０の係止壁２１に係止した状態から解除されるため、この状態で固定框２０をアタッチメント枠６０から取り外せばよい。
【００３２】
横引き式スクリーン装置の本体ユニット１０における固定框２０は、通常、その内部にアコーディオン式に折り畳み可能にしたスクリーンを収納し、或いは、巻き取り方向にバネ付勢されたスクリーンを巻き取るための巻取り軸が収容されるため、建物開口部１００の縦枠に容易に着脱可能に取り付けるのが困難であるが、上述した手段による固定框２０の取り付けを行えば、修理や各種メンテナンスのための着脱を容易に行うことが可能になる。更に、アタッチメント枠の縦方向の長さを固定框の縦方向の長さと略同じにしてあるので、横引き式スクリーン装置の固定框をアタッチメント枠６０に取り付けた際に隙間を無くすことができる。
【００３３】
なお、本体ユニット１０その他の部分や上部ガイド枠９０、或いは可動框５０に対抗する受け枠９２等については、その着脱自在な取り付けに格別の問題がないので、既存の技術によりそれらの取り付けを行えばよく、そのため、ここではそれらの取り付けについての説明は省略する。
【００３４】
図７及び図８は、スライド部材７０とラッチ部材８０とにおいて、上記実施例の場合とは異なる変形例を採用した場合を例示するもので、この変形例では、前記実施例におけるスライド部材７０の内側取付部片７２に設けた棒状の伝動部材７６ａに代えて、ラック状の伝動部材７６ｂを用い、また、前記実施例におけるラッチ部材８０の円柱状をした回転体８３が、上記棒状の伝動部材７６ａが嵌挿される凹部８３ａを備えているのに対し、この変形例では該凹部８３ａに代えて上記円柱状の回転体８３の周囲に上記ラック状の伝動部材７６ｂと噛合するピニオン８３ｂとして構成している。
【００３５】
これによって、上記スライド部材７０の上下移動に伴い、ラック状の伝動部材７６ｂと回転体８３におけるピニオン８３ｂとの噛合により、前記実施例の場合と同様にラッチ板部８２が回転することになる。
なお、図７は図５に対応し、前記スライド部材７０が第１の位置にあるときの前記スライド部材７０と前記ラッチ部材８０の係合状態を示し、図８は図６に対応し、前記スライド部材７０が第２の位置にあるときの前記スライド部材７０と前記ラッチ部材８０の係合状態を示している。
【００３６】
図７及び図８に示す変形例のその他の構成及び作用は、図１〜図６を参照して説明した実施例のそれらと実質的に変わるところがないので、図７及び図８における同一または相当部分に同一の符号を付してそれらの説明を省略する。
【００３７】
以上においては、本発明の実施形態について具体的に説明したが、本発明はこれらに限定されることなく、特許請求の範囲の趣旨を逸脱しない範囲で任意に設計変更することが可能であり、例えば、図示の実施例では固定框にスクリーンをアコーディオン式に折り畳み可能にしたものを示しているが、巻き取り方向にバネ付勢された巻取り軸にスクリーンを巻き取るようにしたロールスクリーンにも適用することができる。
更に、上記アタッチメント枠の長さを、建物開口部の縦枠、或いは固定框の縦方向の長さと略同じにすることから、横引き式スクリーン装置の固定框をアタッチメント枠に取り付けた際に生じやすい建物開口部の縦枠との間の隙間を無くすことができる。
【符号の説明】
【００３８】
２０      固定框
２１      係止壁
３０      スクリーン
５０      可動框
６０      アタッチメント枠
６１      底壁
６２，６３      側壁
６２ａ      摺動孔
７０      スライド部材
７１      操作部
７２      内側取付部片
８０      ラッチ部材
８２      ラッチ板部
８３      回転体
１００      建物開口部
【図１】
0005593268.tif 000002
【図２】
0005593268.tif 000003
【図３】
0005593268.tif 000004
【図４】
0005593268.tif 000005
【図５】
0005593268.tif 000006
【図６】
0005593268.tif 000007
【図７】
0005593268.tif 000008
【図８】
0005593268.tif 000009